(57)【要約】      （修正有）【課題】拡大鏡の維持構造の提供。【解決手段】可調整ユニットの両端は、それぞれに台座とクランプに繋がっており、それぞれに軸の方向及び放射状の任意の方向に移動することができる。クランプの片側はバネの外向ける弾力を利用することにより、反対側に対象物（例えば、指）を挟ませるような弾力を持つものである。その中の片軸は可調整ユニットに固定している。また、台座は方向変化可能なシャフトで可調整ユニットに繋がっている。軸方向は両側に固定している拡大鏡に対応し、二つの拡大鏡は連結している。それで、任意の角度に調整でき、また閉めることもできる。【選択図】図１
0003126480.tif 000002
【実用新案登録請求の範囲】
【請求項１】
可調整ユニット、クランプ、台座、及び数個の拡大鏡セットを含み、
可調整ユニットはオス、メスのＹ型軸及びスライドロッドによって構成され、その中、オス、メスのＹ型軸は、ピンで連結され、軸方向に３６０度を自由に調整でき、オスＹ型軸の片端の周縁には、突き出しロッドが突き出すように設けられ、メスＹ型軸の片端にはアーク状の開け穴が設置され、また、スライドロッドの端はアーク状開け穴を通り抜け、そして、ロッド自体のアーク状スライドブロックは滑走時にアーク状開け穴を覆うようになり、これで、スライドロッドはメスＹ型軸に対して放射状の方向変更が自由に調整でき、  クランプは位置決めロッドがバネとクランプのオス部とメス部を通り抜けて連結することによって構成され、バネの外向ける弾力を利用してクランプのオス部とメス部の上部に突き当たって固定することにより、下部に対象物を挟むようにさせ、クランプのオス部にある位置決めロッドが通る上部の部分が延長して接続棒になり、これにより、接続棒は前述の可調整ユニットに嵌めて固定することができ、そして、クランプはいつでも可調整ユニットによって自由に調整することができ、
台座はスクリューロッドと二つの拡大鏡受けによって構成され、二つの拡大鏡受けのそれぞれの周縁は拡大鏡受けスロットに成型し、そして、各拡大鏡受けスロットの頂上には位置決め穴が設けられ、拡大鏡受けのもう一つの端は連結ヒンジのように形成され、スクリューロッドによって突き抜けて固定され、互いに角度の調整や折り畳みができるように連結し、さらに、スクリューロッドのもう一つの端は可調整ユニットに固定しているので、拡大鏡の台座はいつでも可調整ユニットに従って軸方向や、放射状のように自由に調整でき、
数個の拡大鏡セットは拡大鏡のそれぞれの端は対応している拡大鏡受けスロットの位置決めシートに設置され、各位置決めシートにはフレンチが設けられ、フレンチを拡大鏡受けスロットの位置決め開け穴に突き当てることにより、拡大鏡を拡大鏡受けスロットに固定させることを特徴とする一種の拡大鏡維持構造。
【請求項２】
当該クランプの接続棒に外せる照明が設けられていることを特徴とする請求項１記載の拡大鏡維持構造。
【請求項３】
当該照明グリップの片端はＣ型クランプであり、クランプ接続棒から外せるし、またも取り付けられることを特徴とする請求項２記載の拡大鏡維持構造。
【請求項４】
当該照明のライトはLEDか従来のランプを使用していることを特徴とする請求項２記載の拡大鏡維持構造。
【請求項５】
当該可調整ユニットはピンで、オス、メスのＹ型軸と連結しているが、ジョイント方式の連結方法に変えてもよいことを特徴とする請求項１記載の拡大鏡維持構造。
【請求項６】
当該拡大鏡の数量は二つであることを特徴とする請求項１記載の拡大鏡維持構造。
【請求項７】
当該拡大鏡の数量は一つでもよいことを特徴とする請求項１記載の拡大鏡維持構造。
【請求項８】
当該拡大鏡は直接にメスＹ型軸のスライドスロット内を滑走できる簡易型のスライドロッド部材であることを特徴とする請求項７記載の拡大鏡維持構造。
【考案の詳細な説明】
【技術分野】
【０００１】
本考案は拡大鏡の維持構造に関するものである。特に、老眼者、あるいは視力の弱い方に対し、常に携帯して指に挟めば、自由に調整でき、拡大鏡として携帯電話やPDAなどの通信商品のための拡大鏡維持構造として利用できる。
【背景技術】
【０００２】
テクノロジーは急速に発展しており、各種の通信商品（例えば、携帯電話やPDA）はすでに日常生活の中で不可欠の必要品になっている。各種商品は競争による結果により、コンパクトで意匠工夫設計され、消費者の目を引きつけようとしている。しかしながら、各種の通信商品のキーパッドも、スクリーンもこの小さくなる勢いの中で、お年寄り（老眼者）、あるいは視力の弱い方に対し、操作上の不便を招いてしまった。
【０００３】
また、老眼者としては、普段、遠方を見る時にメガネは必要でないが、近距離に、例えば、各種の通信商品のキーパッドやスクリーンを操作し、見たりする時にはメガネ（老眼鏡）が必要になる。すなわち、老眼者が各種の通信商品を使いたければ、まず、めがねを取り出してかけてから、携帯電話のキーパッドやスクリーンを近距離のフォーカス位置に調整し、そして操作し始めること。このような慌しい使用状態は便利とは言いがたい。
【０００４】
また、老眼鏡は普通のメガネと違って、いつも顔にかけているわけではないし、近距離のものを見たいときだけに使用するものなので、持ち歩くのを忘れることが多い。しかも、老眼鏡のフレーム構造は細くて押しつぶされる恐れがあるので、そのままポケットに入れられず、メガネケースに入れなければならない。ただし、メガネケースが大きくて持ち歩くのに不便のものであれば、開けたり、閉めたりするのも面倒になる。また、首にかけることはできるが、自分の外見を気にする方や男性には受け入れることができないので、老眼鏡を持ち歩くことはすでに、日常生活の中で厄介なことになってしまった。
【考案の開示】
【考案が解決しようとする課題】
【０００５】
以上を鑑み、本考案の目的は、コンパクトで持ち歩きやすく、いつでも指に挟んで手に持つ対象物を拡大に見られるように拡大鏡機能を提供することにある。ここでの拡大鏡では方向、視角、そして対象物との距離が自由に調整でき、弱い光源補助の照明機能があり、そして、簡単に、速く老眼者視力の弱い方に対し、手に持つ通信商品のような対象物を拡大鏡補助機能で操作するのに手助け拡大鏡の維持構造である。
【０００６】
即ち、前述の本考案の目的を達成するには、本新型拡大鏡の維持構造には、実際に、可調整ユニット、クランプ、台座、数個の拡大鏡セット、及び取り外せる照明が含まれている。その中、可調整ユニットの両端は、それぞれに台座とクランプに繋がっており、それぞれが軸の方向と放射状に任意の希望方向にむかって調整できる。当該クランプの片側は、バネの外向ける弾力を利用することにより、反対側に対象物（例えば、指）を挟ませる弾力のある挟みものである。その一つの軸が可調整ユニットに固定されている。また、当該台座は方向変化可能なピボットで可調整ユニットに繋がっている。軸の方向は、両側に嵌めて固定している拡大鏡に対応している。二つの拡大鏡はヒンジで連結されており、任意の角度にし、開けたり、閉まったりすることができる。そのため、前述のはさめで、いつでも使用者の指に挟むことができる（必要に応じて左手や右手の指にとも挟むことができる）。また、可調整ユニットにより拡大鏡ユニットと携帯電話との間の適切な高さ、位置距離と視角を調整することができる。そして連結している拡大鏡は各種の携帯電話などの通信商品のキーパッドとスクリーンとの角度を調整することができ、携帯電話のキーパッドやスクリーンを速やかに拡大することができる。しかも、拡大鏡と携帯電話のキーパッド、スクリーンとの間の高さ、距離については、人指の出入りで操作するのに最もふさわしい距離が最初に設定されているので、老眼者や視力の弱い方が速やかに、便利に拡大鏡補助機能で携帯電話を操作する目的を実現できる。
【０００７】
また、二枚の拡大鏡の角度の自由調整機能と開け閉め機能を利用することにより、各種の折り畳み方式のスクリーンやキーパッドを持つ携帯電話などの通信商品に適用できる。且つ、当該二枚の拡大鏡も折り畳んで閉めることができ、改めて一枚だけの拡大鏡構造でも使用できるので、各種の直立型の通信商品に使用する以外にも、拡大倍率を増加する効果もあるし、体積が小さくもなれる。コンパクトであるため、そのままポケットに入れて持ち歩くこともできることにより、置き忘れるのを避けられる。また、首にかけなくて美観を損うことなく、男性にとっても受け入れるようになり、使用者の負担を大幅に軽減した。
【０００８】
更に、可調整ユニットのロッドには取り外せる照明が設置されている。当照明はクリップ内のボタン型の小電池を電源としている。導電シートが回転スイッチカバーのコントロールによって導電して照明を点灯させるか消灯させる。闇の中では照明が使えるし、光線が弱いときでも通信商品の補足電源として利用できる。
【０００９】
クランプでいつでも使用者の指を挟んで使えるし、拡大鏡の方向、視角、及び対象物との距離も自由に調整できるので、携帯電話などの通信商品の拡大操作に利用できると同時に、手に持つカード、名刺や説明書など印刷文字が小さい場合に拡大読みするときにも使える。老眼者や視力の弱い方にとって目を使うときに大変役立つ。
【課題を解決するための手段】
【００１０】
請求項１の考案は、可調整ユニット、クランプ、台座、及び数個の拡大鏡セットを含み、
可調整ユニットはオス、メスのＹ型軸及びスライドロッドによって構成され、その中、オス、メスのＹ型軸は、ピンで連結され、軸方向に３６０度を自由に調整でき、オスＹ型軸の片端の周縁には、突き出しロッドが突き出すように設けられ、メスＹ型軸の片端にはアーク状の開け穴が設置され、また、スライドロッドの端はアーク状開け穴を通り抜け、そして、ロッド自体のアーク状スライドブロックは滑走時にアーク状開け穴を覆うようになり、これで、スライドロッドはメスＹ型軸に対して放射状の方向変更が自由に調整でき、  クランプは位置決めロッドがバネとクランプのオス部とメス部を通り抜けて連結することによって構成され、バネの外向ける弾力を利用してクランプのオス部とメス部の上部に突き当たって固定することにより、下部に対象物を挟むようにさせ、クランプのオス部にある位置決めロッドが通る上部の部分が延長して接続棒になり、これにより、接続棒は前述の可調整ユニットに嵌めて固定することができ、そして、クランプはいつでも可調整ユニットによって自由に調整することができ、
台座はスクリューロッドと二つの拡大鏡受けによって構成され、二つの拡大鏡受けのそれぞれの周縁は拡大鏡受けスロットに成型し、そして、各拡大鏡受けスロットの頂上には位置決め穴が設けられ、拡大鏡受けのもう一つの端は連結ヒンジのように形成され、スクリューロッドによって突き抜けて固定され、互いに角度の調整や折り畳みができるように連結し、さらに、スクリューロッドのもう一つの端は可調整ユニットに固定しているので、拡大鏡の台座はいつでも可調整ユニットに従って軸方向や、放射状のように自由に調整でき、
数個の拡大鏡セットは拡大鏡のそれぞれの端は対応している拡大鏡受けスロットの位置決めシートに設置され、各位置決めシートにはフレンチが設けられ、フレンチを拡大鏡受けスロットの位置決め開け穴に突き当てることにより、拡大鏡を拡大鏡受けスロットに固定させることを特徴とする一種の拡大鏡維持構造としている。
請求項２の考案は、当該クランプの接続棒に外せる照明が設けられていることを特徴とする請求項１記載の拡大鏡維持構造としている。
請求項３の考案は、当該照明グリップの片端はＣ型クランプであり、クランプ接続棒から外せるし、またも取り付けられることを特徴とする請求項２記載の拡大鏡維持構造としている。
請求項４の考案は、当該照明のライトはLEDか従来のランプを使用していることを特徴とする請求項２記載の拡大鏡維持構造としている。
請求項５の考案は、当該可調整ユニットはピンで、オス、メスのＹ型軸と連結しているが、ジョイント方式の連結方法に変えてもよいことを特徴とする請求項１記載の拡大鏡維持構造としている。
請求項６の考案は、当該拡大鏡の数量は二つであることを特徴とする請求項１記載の拡大鏡維持構造としている。
請求項７の考案は、当該拡大鏡の数量は一つでもよいことを特徴とする請求項１記載の拡大鏡維持構造としている。
請求項８の考案は、当該拡大鏡は直接にメスＹ型軸のスライドスロット内を滑走できる簡易型のスライドロッド部材であることを特徴とする請求項７記載の拡大鏡維持構造としている。
【考案の効果】
【００１１】
拡大鏡維持構造の特長を以下にまとめることができる、
１．当考案の拡大鏡維持構造は、クランプで使用者の指（左手や右手でもよい）を挟んで、可調整ユニットで拡大鏡セットと携帯電話との高さ、方向位置、指の出入り距離と視角を調整することにより、老眼者や視力の弱い方が、速やかに、便利に拡大鏡補助機能を利用して携帯電話などの通信商品を使用することができる、
２．当考案の拡大鏡維持構造の拡大鏡は、自由に角度の調整ができる、また折り畳むこともできるので、各種の折り畳み方式の通信商品に合わせて利用することができる。また、一枚の直立型の通信商品にも使用できる、
３．当考案の拡大鏡維持構造の二枚の拡大鏡を折り畳めば、二枚の拡大鏡を重ねて一体に使えるので、拡大倍率を上げる効果があるので、利用効果が増え、拡大鏡の付加価値が増加する、
４．当考案の拡大鏡維持構造の拡大鏡は一枚か二枚で重ねて使用できるように設計されており、体積が小さくなるし、重量はわずか２７グラムなので、全体的にはコンパクトであり、そのままポケットに入れられるし、置き忘れることも避けられる。また、首にかけなくてよいので、男性の方や外見を気にする方の悩みが解消できるので、使用者の負担が軽減できる、
５．当考案の拡大鏡維持構造も、手のひらに持ついろんなカード、名刺あるいは説明書など活字の小さい対象物を拡大して読む時の補助にもなる。老眼者や視力の弱い方が何かを読むときの補助としては更に便利である。
【考案を実施するための最良の形態】
【００１２】
本考案を詳しく説明する前に、まず、以下の内容の中で類似の部材は同じ番号で表されることをここで断っておく。
【００１３】
図１を参照してください。図１は本考案の一つの好ましい実施例の拡大鏡維持構造の立体図である。図２は図１の分解図である。図３、図４をも同時に参照してください。それは、拡大鏡維持構造が携帯電話に取り付けている表示図である。本実施例では、拡大鏡の維持構造に、可調整ユニット１０、クランプ２０、台座３０、数個の拡大鏡４０、そして照明５０が含まれている。
【００１４】
その中、可調整ユニット１０は、オスＹ型軸１１、メスＹ型軸１２、及びスライドロッド１１３によって構成される。中では、ピン１４でオスＹ型軸１１とメスＹ型軸１２のＹ型の端１１１、１２１に接続することにより、二軸を３６０度に回転できるように自由に調整できる。オスＹ型軸１１のＹ型の端には突き出すようにスロットが開けられてあり、そして、凹むように突き通す穴の弾力の開け閉めの突き出しロッド１１２が設置されている。メスＹ型軸１２のＹ型の端にはアーク上の開け穴１２２が開けられている。また、スライドロッド１３の片端はスロットがあり、弾力の開け閉めのロッド部１３１に使われる。反対側の端のもスロットがあるし、凹むように位置決め穴の弾力開け閉めスリーブロッド１３２を設けている。ロッドの大体中央位置には、アーク状開け穴１２２にペアのアーク状ブロック１３３を有している。スライドロッド１３はロッド部１３１でアーク状開け穴１２２をつき抜け、その弾力開け閉めの特性を利用してスライドロッド１３の移動をメスＹ型軸１２に固定する。このアーク状スライドブロック１３３は、アーク状開け穴１２２においてスライドする。その活動により、スライドロッド１３とメスＹ型軸１２は、放射状の活動範囲内（左右）で自由に調整できる。また、オスＹ型軸１１とメスＹ型軸１２の連結により、軸の方向にも自由に調整できる。メスＹ型軸１２とスライドロッド１３の連結で、放射状に自由に調整できる。このため、可調整ユニット１０は完全に、軸方向と放射状の方向に自由自在に調整できる効果になる。
【００１５】
当該クランプ２０は、位置決めロッド２１とバネ２２との連結、及びクランプのオス部、メス部２３、２４によって構成される。バネ２２の自然の外向ける弾力を利用し、クランプのオス部、メス部２３、２４の上部に突き当てるように、クランプのオス部、メス部２３、２４の下部のアーク状部分に位置決めの対象物（例えば、指）を挟ませる。また、クランプのオス部２３において、位置決めロッド２１を上部の片端をつき抜かせ、接続棒２３１になるように延長する。その接続棒２５は、前述の可調整ユニット１０のオスＹ型軸１１の突き出しロッド１１２に嵌め、そして、位置決めロッド２１によってつき抜かれて位置を決める。これにより、クランプ２０は、可調整ユニット１０に位置決めることができ、可調整ユニット１０に従って自由自在の移動調整ができる。
【００１６】
拡大鏡の台座３０はスクリューロッド３１、二つの拡大鏡受け３２、３３によって構成される。この二つの拡大鏡受け３２、３３が対応する一端は拡大鏡受けスロット３２１、３３１と成型し、当該各拡大鏡受けスロット３２１、３３１の各上部のスロット面には位置決めるための位置決め穴３２２、３３２を突き抜ける。反対側の端は連結しているヒンジのような形になっており、スクリューロッド３１で二つの拡大鏡受け３２、３３にある通し穴を通り抜けて連結することにより、二つの拡大鏡受け３２、３３は自由な角度に調整でき、また折り畳むこともできる。スクリューロッド３１のもう一方の端は、可調整ユニット１０におけるスライドロッド１３のスリーブロッド１３２に嵌めて固定している。これで、台座３０が完全にスライドロッド１３によって放射状に自由な方角に回れる。または、可調整ユニット１０によって軸方向に自由に調整できる。
【００１７】
当該数個の拡大鏡４０は、本実施例において、二枚の拡大鏡が取り上げられている。それぞれの拡大鏡４０の片端は、位置決めシート４１、４２に固定されている。この位置決めシート４１、４２の幅は拡大鏡受けスロット３２１、３３１のスロット幅に対応している。しかも、位置決め穴３２２、３３２に対応する相対位置にフレンチ４１１、４２１が設けられている。このフレンチ４１１、４２１が位置決め穴３２２、３３２に固定することにより、拡大鏡４０は拡大鏡受けスロット３２１、３３１内に固定することができる。
【００１８】
当該照明５０は、グリップ５１、ボタン型電池と導電シート（図示の中で示されていない）、ライト５２、回転スイッチカバー５３によって構成されている。中のグリップ５１の片端はＣ型クランプ５１１があり、Ｃ型クランプ５１１は前述のクランプ２０に自由に固定できるし、またも外せる。一方の端は回転スイッチカバー５３に連結し、グリップ５１本体内のボタン型小電池を電源としている。導電シートが回転スイッチカバー５３の回転により、ライト５２をコントロールし、点灯させるか消灯させる。これで、拡大鏡４０を用いて何か見るときに、たとえ闇の中でも補助照明として使えるし、光線の弱い場所でも照明の補足にも使える。
【００１９】
第３、４図のように、当考案を使用する際に、クランプ２０を使用者の指に挟めば（クランプ２０は使用者の習慣によって右手や左手のどちらに使っても良い）、可調整ユニット１０で拡大鏡セット４０と携帯電話との高さ、方向距離と視角を調整することができる。そして、拡大鏡受け３２、３３で連結し、携帯電話のキーパッドとスクリーンに合わせながら、自由に二枚の拡大鏡４０を調整することもできる。これで、携帯電話のキーパッドとスクリーンを拡大する効果が得られる。拡大鏡４０と携帯電話のキーパッドとスクリーンとの間の高さと距離については、人指の出入りができ、キーパッドを操作するための最適な距離が設けられている。ゆえに、当考案は、老眼者や視力の弱い方が拡大鏡の補助機能で携帯電話を速やかに操作する目的が実現できる。
【００２０】
また、角度の違う折り畳み方式の携帯電話に利用する際に、拡大鏡受け３２、３３の角度を調整さえすればよい。二枚の拡大鏡４０にこのタイプの携帯電話のスクリーンとキーパッドの角度にあわせるだけのため、当考案は各種のスクリーンとキーパッドを持つ携帯電話類の通信商品に利用できる。しかも、二枚の拡大鏡４０も折り畳めるので、二枚の拡大鏡４０を畳んで使用すれば、拡大倍率を上げる効果があるし、キーパッドとスクリーンが一面に配列している直立型の携帯電話にも利用できる。特に、拡大鏡４０を折り畳めば、小さくなるし、持ち歩くのにもっと便利になる。そのままポケットに入れられるので、置き忘れることを防げるし、首にかけなくてすむので、首にかけなくて美観を損なうことなく、男性にとっても受け入れるようになり、使用者の負担を大幅に軽減した。
【００２１】
更に、闇や光線の弱い場所で使うときは、照明５０の回転スイッチカバー５３を回せば、ライト５２を点灯することを制御できるので、闇の中の照明、あるいは、光線の弱い時の照明の補足としても利用できる。
【００２２】
本実施例においては、拡大鏡４０は位置決めシート４１、４２で台座３０に嵌めて固定されている。拡大鏡は二枚あるが、実際には、図５、図６のように、携帯電話などの通信商品に合わせて一枚にして使用することもできる。拡大鏡４０は、片側の下部が台座３０の拡大鏡受けスロット３０に固定されている。台座３０は、スクリューロッド３１で突き抜けて連結することによってスライドロッド１３と固定して一体になる。スライドロッド１３は、メスＹ型軸１２と同様に、（左右）放射状の１８０度を自由に調整できる。図７、図８が示すように、拡大鏡４０はスライドロッド１３に沿って左右の放射状の１８０度を自由に調整できる。
【００２３】
図９のように、拡大鏡４０の片側の上部は台座３０の拡大鏡受けスロットに固定できる。また、図１０、図１１が示すように、拡大鏡４０もスライドロッド１３に沿って左右に放射状の１８０度を自由に調整できる。
【００２４】
また、図１２のように、スライドロッド１３の部材を省き、メスＹ型軸１２のアーク状開け穴１２２を細いスロットのスライドスロット１２２に変更することもできる。位置決めシート４１の端を拡大鏡４０の周縁に嵌めておき、もう一つの端を突き出すようなスライドブロックにする（図の中では示されていない）。そのスライドブロックを滑走できるようにメスＹ型軸１２のスライドスロット１２２に連結させることにより、拡大鏡４０が放射状にスライドするように調整できる。またも、図１３のように、課調整ユニット１０は、ピン１４でオス、メスのＹ型軸１１、１２及びスライドロッド１３と連結し、メスＹ型軸１２が滑走できるような連ける方法は、ジョイント方式の連結方法に変えられる。繋ぐ軸もまた３６０度を自由に回して調整できる。
【図面の簡単な説明】
【００２５】
【図１】本考案の拡大鏡の維持構造のよりよい実施例の立体表示図である。
【図２】図１の拡大鏡の維持構造の分解図である。
【図３】図１の拡大鏡の維持構造を左手の指に挟んで携帯電話を使用する表示図である。
【図４】図１の拡大鏡の維持構造を右手の指に挟んで携帯電話を使用する表示図である。
【図５】拡大鏡の数は一つのもう一つの実施例の立体表示図である。
【図６】図５の拡大鏡の維持構造の分解図である。
【図７】図５の拡大鏡の維持構造であり、拡大鏡を右へ移動するように調整する表示図である。
【図８】図５の拡大鏡の維持構造であり、拡大鏡を左へ移動するように調整する表示図である。
【図９】拡大鏡の部分のみが上部で台座に固定しているまた別の実施例の立体表示図である。
【図１０】図９の拡大鏡の維持構造であり、拡大鏡を右へ移動するように調整する表示図である。
【図１１】図９の拡大鏡の維持構造であり、拡大鏡を左へ移動するように調整する表示図である。
【図１２】もう一つの別の実施例の立体表示図であり、拡大鏡がメスのＹ型軸のスライド内で滑走できるような簡単なスライドロッドのデバイスである。
【図１３】またもう一つ実施例の立体表示図であり、オスとメスのＹ型軸ともがジョイント方式のコネクターに取り替えられることを示す。
【符号の説明】
【００２６】
１０  可調整ユニット
１１  オスＹ型軸
１２  メスＹ型軸
１３  スライドロッド
１４  ピン
１１１、１２１  Ｙ型の端
１１２  突出しロッド
１２２  アーク状開け穴
１３１  ロッド部
１３２  スリーブロッド
１３３  アーク状スライドブロック
２０  クランプ
２１  位置決めシャフト
２２  バネ
２３  クランプのオス部
２４  クランプのメス部
２３１  接続棒
３０  台座
３１  スクリューロッド
３２、３３  拡大鏡受け
３２１、３３１  拡大鏡受けスロット
３２２、３３２  位置きめ穴
４０  拡大鏡
４１、４２  位置決めシート
４１１、４２１突き出しブロック
５０  照明
５１  グリップ
５２  ライト
５３  回転スイッチカバー
５１１  Ｃ型クランプ
【図１】
0003126480.tif 000003
【図２】
0003126480.tif 000004
【図３】
0003126480.tif 000005
【図４】
0003126480.tif 000006
【図５】
0003126480.tif 000007
【図６】
0003126480.tif 000008
【図７】
0003126480.tif 000009
【図８】
0003126480.tif 000010
【図９】
0003126480.tif 000011
【図１０】
0003126480.tif 000012
【図１１】
0003126480.tif 000013
【図１２】
0003126480.tif 000014
【図１３】
0003126480.tif 000015